(57)【要約】  メタデータエントリーを供給するための装置は、出力デバイス、インタフェース要素及びタグ付け要素を有する。出力デバイスは、電子デバイスを介しメディアファイルなどの活動を提示する能力を有する。インタフェース要素は、電子デバイスのキーの選択のユーザー入力を受け取る能力を有する。タグ付け要素は、キーの選択に応じて提示されたメディアファイルのメタデータエントリーを変更するよう構成される。
2009540447.tif 000002
【特許請求の範囲】
【請求項１】
電子デバイスを介し活動を提示するステップ、
前記電子デバイスのキーの選択を受信するステップ、及び
前記キーの選択に応じて前記提示された活動のメタデータエントリーを変更するステップ、
を有する方法。
【請求項２】
前記メタデータを変更するステップは、前記選択されたキーの前記メタデータエントリーを前記提示された活動のメタデータとして割り当てることを有する、請求項１に記載の方法。
【請求項３】
前記メタデータエントリーを変更するステップは、前記選択されたキーに関連する前記提示された活動の前記メタデータを提示することを有する、請求項１に記載の方法。
【請求項４】
前記メタデータエントリーへの更なる関連するデータを関連付けるステップを更に有する、請求項１に記載の方法。
【請求項５】
前記メタデータエントリーへの更なる関連するデータを関連付けるステップは、前記メタデータエントリーと、
存在情報、
近隣情報、
背景情報、
メディアタイプ、又は
提示するアプリケーション
の少なくとも１つを関連付けることを有する、請求項４に記載の方法。
【請求項６】
１より多いメタデータエントリーと関連している前記選択されたキーに応じて、可能性のあるメタデータエントリーを起こりそうな順序で表示するステップを更に有する、請求項１に記載の方法。
【請求項７】
専用キーの選択に応じて、全メタデータエントリー及び対応するコンテンツアイテムのリストを表示するステップを更に有する、請求項１に記載の方法。
【請求項８】
前記活動を提示するステップは、
画像、
ビデオファイル、
オーディオファイル、
テレビブロードキャスト、
ラジオブロードキャスト、
テキスト、又は
ウェブページ
の１つを提示することを有する、請求項１に記載の方法。
【請求項９】
コンテンツアイテムを提示している間に対応するメタデータエントリーを表示するステップを更に有する、請求項１に記載の方法。
【請求項１０】
前記メタデータエントリーを変更するステップは、ブラウジングを介し得られるタグ情報を用いて前記メタデータエントリーを変更することを有する、請求項１に記載の方法。
【請求項１１】
前記活動を提示するステップは、データを記録することを有する、請求項１に記載の方法。
【請求項１２】
少なくとも１つのコンピュータ読み取り可能記憶媒体を有するコンピュータプログラムプロダクトであって、該コンピュータ読み取り可能記憶媒体は、その中に記憶されるコンピュータ読み取り可能プログラムコード部分を有し、該コンピュータ読み取り可能プログラムコード部分は、
電子デバイスを介し活動を提示するための第１の実行可能部分、
前記電子デバイスのキーの選択を受信するための第２の実行可能部分、及び
前記キーの選択に応じて前記提示された活動のメタデータエントリーを変更するための第３の実行可能部分、
を有する、コンピュータプログラムプロダクト。
【請求項１３】
前記第３の実行可能部分は、前記選択されたキーの前記メタデータエントリーを前記提示された活動のメタデータとして割り当てるための命令を有する、請求項１２に記載のコンピュータプログラムプロダクト。
【請求項１４】
前記第３の実行可能部分は、前記選択されたキーに関連する前記提示された活動の前記メタデータを提示するための命令を有する、請求項１２に記載のコンピュータプログラムプロダクト。
【請求項１５】
前記メタデータエントリーへの更なる関連するデータを関連付けるための第４の実行可能部分を更に有する、請求項１２に記載のコンピュータプログラムプロダクト。
【請求項１６】
前記第４の実行可能部分、前記メタデータエントリーと、
存在情報、
近隣情報、
背景情報、
メディアタイプ、又は
提示するアプリケーション
の少なくとも１つを関連付けるための命令を有する、請求項１５に記載のコンピュータプログラムプロダクト。
【請求項１７】
１より多いメタデータエントリーと関連している前記選択されたキーに応じて、可能性のあるメタデータエントリーを起こりそうな順序で表示するための第４の実行可能部分を更に有する、請求項１２に記載のコンピュータプログラムプロダクト。
【請求項１８】
専用キーの選択に応じて、全メタデータエントリー及び対応するコンテンツアイテムのリストを表示するための第４の実行可能部分を更に有する、請求項１２に記載のコンピュータプログラムプロダクト。
【請求項１９】
前記第１の実行可能部分は、
画像、
ビデオファイル、
オーディオファイル、
テレビブロードキャスト、
ラジオブロードキャスト、
テキスト、又は
ウェブページ
の１つを提示するための命令を有する、請求項１２に記載のコンピュータプログラムプロダクト。
【請求項２０】
コンテンツアイテムを提示している間に対応するメタデータエントリーを表示するための第４の実行可能部分を更に有する、請求項１２に記載のコンピュータプログラムプロダクト。
【請求項２１】
前記第３の実行可能部分は、ブラウジングを介し得られるタグ情報を用いて前記メタデータエントリーを変更するための命令を有する、請求項１２に記載のコンピュータプログラムプロダクト。
【請求項２２】
前記第１の実行可能部分は、データを記憶するための命令を有する、請求項１２に記載のコンピュータプログラムプロダクト。
【請求項２３】
電子デバイスを介し活動を提示するための出力デバイス、
前記電子デバイスのキーの選択のユーザー入力を受け取るためのインタフェース要素、及び
前記キーの選択に応じて前記提示された活動のメタデータエントリーを変更するよう構成されたタグ付け要素、
を有する装置。
【請求項２４】
前記タグ付け要素は、前記選択されたキーの前記メタデータエントリーを前記提示された活動のメタデータとして割り当てるよう構成される、請求項２３に記載の装置。
【請求項２５】
前記タグ付け要素は、前記選択されたキーに関連する前記提示された活動の前記メタデータを提示するよう構成される、請求項２３に記載の装置。
【請求項２６】
前記タグ付け要素は、前記メタデータエントリーへの更なる関連するデータを関連付けるよう構成される、請求項２３に記載の装置。
【請求項２７】
前記更なる関連するデータは、
存在情報、
近隣情報、
背景情報、
メディアタイプ、又は
提示するアプリケーション
の少なくとも１つ有する、請求項２６に記載の装置。
【請求項２８】
前記活動は、
画像、
ビデオファイル、
オーディオファイル、
テレビブロードキャスト、
ラジオブロードキャスト、
テキスト、又は
ウェブページ
の１つを有する、請求項２３に記載の装置。
【請求項２９】
前記タグ付け要素は、１より多いメタデータエントリーと関連している前記選択されたキーに応じて、可能性のあるメタデータエントリーを起こりそうな順序で表示するよう構成される、請求項２３に記載の装置。
【請求項３０】
前記タグ付け要素は、上位１０の最もよく用いられるメタデータエントリーとキーパッドナンバー０から９の対応する１つを関連付けるよう構成される、請求項２３に記載の装置。
【請求項３１】
専用キーの選択に応じて、メタデータタグ付けと関連する機能を実行するための該専用キーを更に有する、請求項２３に記載の装置。
【請求項３２】
前記機能は、全メタデータエントリー及び対応するコンテンツアイテムのリストを表示することを有する、請求項３１に記載の装置。
【請求項３３】
コンテンツアイテムを提示している間に対応するメタデータエントリーを表示するよう構成される処理要素を更に有する、請求項２３に記載の装置。
【請求項３４】
前記装置は、モバイル端末として搭載される、請求項２３に記載の装置。
【請求項３５】
電子デバイスを介し活動を提示するための手段、
前記電子デバイスのキーの選択を受信するための手段、及び
前記キーの選択に応じて前記提示された活動のメタデータエントリーを変更するための手段、
を有する装置。
【発明の詳細な説明】
【技術分野】
【０００１】
本発明の実施例は、一般的には、コンテンツ管理技術に関連し、より詳細には、コンテンツ管理用にメタデータエントリーを採用するための方法、デバイス、モバイル端末、及びコンピュータプログラムプロダクトに関連する。
【背景技術】
【０００２】
最新の通信時代は、有線及び無線ネットワークの多大な発展をもたらしてきた。コンピュータネットワーク、テレビネットワーク、及び電話ネットワークは、消費者の需要に刺激され、かつてない程の技術的拡張を経験している。無線及びモバイルネットワーク技術は、情報伝送の更なる柔軟性及び即時性を提供すると同時に、関連する消費者需要に取り組んできた。
【０００３】
現在及び将来のネットワーク技術は、モバイル電子デバイスの機能を拡張することにより、情報伝送の容易性及びユーザーへの利便性を促進し続けている。モバイル電子デバイスの機能が拡張するにつれて、そのようなデバイスの記憶容量の対応する増加は、ユーザーがそのデバイス上に非常に多大な量のコンテンツを保存することを可能にしてきた。コンテンツを保存するため、デバイスがその容量を増加させる傾向にあることから、そしてまた、携帯電話などのモバイル電子デバイスが、ディスプレイサイズ、テキスト入力速度、及びユーザーインタフェース（ＵＩ）の物理的具体化における制限に頻繁に直面することから、コンテンツ管理における課題が生じる。特に、保存されるコンテンツ能力の進歩と物理的ＵＩ能力の進歩の間の不均衡が認識される。
【０００４】
上記した不均衡に対する解決方法を提供するため、メタデータがコンテンツ管理を向上させるために利用されてきた。「タグ」としても呼ばれるメタデータは、オブジェクトとは区別される、しかしオブジェクトに関連する情報を含む。オブジェクトは、オブジェクトにメタデータを付加することによりタグを付けられる。そのように、メタデータは、オブジェクト自体からは明白でないオブジェクトと関連した特性を特定するために使用できる。そして、メタデータは、コンテンツ管理機能を改善するため、オブジェクトを体系化するために使用できる。
【０００５】
現在、モバイル端末などのデバイスは、コンテンツ作成に更に便利になってきている（例えば、画像、ビデオ、製品説明書、イベント解説など）。しかし、コンテンツ作成の結果として生成されるオブジェクトのタグ付けは、通常、モバイル端末の制限された物理ＵＩ機能に与えられた課題である。例えば、作成された各コンテンツアイテムに対し、新たなメタデータエントリーを打ち込むことは面倒なことである。それ故に、メタデータをオブジェクトにタグ付けすることがコンテンツ管理機能を改善するとしても、タグ付けの効率が制限要因となる可能性がある。
【０００６】
更に、幾つかの方法では、背景（ｃｏｎｔｅｘｔ）に基づきメタデータを挿入するよう改良されている。背景メタデータは、特定のコンテンツアイテムが「作成」された背景を記述する。以下では、用語「作成された（ｃｒｅａｔｅｄ）」は、例えば、キャプチャされた、受信された、及びダウンロードされたという用語も包含するよう定義されるものとして理解すべきである。言い換えると、コンテンツが先にその他デバイス上に存在していたかどうかに関わらず、何らかの手段により、該コンテンツがデバイス内に最初に内在するようになる時は何時でも、該コンテンツは「作成された」として定義される。背景メタデータは、検索及び体系化特性などの効率的なコンテンツ管理特性を促進するための注記を提供するため、各コンテンツアイテムと関連付けられる。それ故に、背景メタデータは、コンテンツ管理が強化され、ユーザー作業が最小化される自動化された仕組みを提供するために用いられる。しかし、背景メタデータ及びその他タイプのメタデータは、背景などの要因に応じて標準化される。それ故に、例えば、１つより多い背景を有するコンテンツアイテムのタグ付けは複雑となる。
【０００７】
従って、作成されたコンテンツアイテムにメタデータを関連付けるための改善された方法を提供することは効果的であり、モバイル環境に採用するには簡単及び容易である。
【発明の概要】
【０００８】
効率的なメタデータエントリーを可能とするため、方法、装置及びコンピュータプログラムプロダクトが提供される。特に、方法、装置及びコンピュータプログラムプロダクトは、例えば、モバイル端末のユーザーが、キーボード、キーパッド又はタッチスクリーンキー要素のいずれかのキーなど、特定の機能要素を特定のメタデータに関連付けることを可能とするよう規定される。それ故に、モバイル装置内に採用することは困難であるドラッグ（ｄｒａｇ）及びドロップ（ｄｒｏｐ）動作の使用無しで、より効率的なタグ付けが実行される。更に、専用キー又は共有キーが、与えられたタグ付け特性の特定の実施例を実装するために提供される。キーの選択は、編集可能なタグの組み込みをもたらし、インターネットサービス又はモバイルデバイスアプリケーション上で個別のタグ付き特性を起動し、又は使用されるべきタグ又は複数タグをユーザーが選択できる事前作成されたメタデータタグの集まりを表示することをもたらす。従って、メタデータタグ使用の効率性及び普遍性が増加し、モバイル端末におけるコンテンツ管理を改善することができる。
【０００９】
１つの実施例において、メタデータタグ付けを提供する方法が提供される。本方法は、電子デバイスを介しメディアファイルなど活動（ａｃｔｉｖｉｔｙ）を提示（ｒｅｎｄｅｒ）すること、電子デバイスのキーの選択を受信すること、及びキーの選択に応じて提示されたメディアファイルのメタデータエントリーを変更することを有する。メタデータを変更することは、選択されたキーのメタデータエントリーを、提示されたメディアファイルのメタデータとして割り当てることを有する。メタデータを変更することは、あるいは、選択されたキーに関して、提示されたメディアファイルのメタデータを提示することを有する。
【００１０】
その他の実施例において、メタデータタグ付けを提供するためのコンピュータプログラムプロダクトが提供される。コンピュータプログラムプロダクトは、内部に記憶されるコンピュータ読み取り可能プログラムコード部分を持つ少なくとも１つのコンピュータ読み取り可能記憶媒体を有する。コンピュータ読み取り可能プログラムコード部分は、第１、第２及び第３の実行可能部分を有する。第１の実行可能部分は、電子デバイスを介しメディアファイルなど活動を提示するためのものである。第２の実行可能部分は、電子デバイスのキーの選択を受信するためのものである。第３の実行可能部分は、キーの選択に応じて提示されたメディアファイルのメタデータエントリーを変更するためのものである。
【００１１】
その他の実施例において、メタデータタグ付けを提供するための装置が提供される。装置は、出力デバイス、インタフェース要素及びタグ付け要素を有する。出力デバイスは、電子デバイスを介しメディアファイルなど活動を提示する能力を有する。インタフェース要素は、電子デバイスのキーの選択のユーザー入力を受け取る能力を有する。タグ付け要素は、キーの選択に応じて提示されたメディアファイルのメタデータエントリーを変更するよう構成される。
【００１２】
その他の実施例において、メタデータタグ付けを提供するための装置が提供される。装置は、電子デバイスを介しメディアファイルなど活動を提示するための手段、電子デバイスのキーの選択を受信するための手段、及びキーの選択に応じて提示されたメディアファイルのメタデータエントリーを変更するための手段を有する。
【００１３】
その他の実施例において、キーの選択により、１つのキーに割り当てられたメタデータが、選択された又は提示されたメディアファイルにも割り当てられる。
【００１４】
本発明の実施例は、様々なタイプのメディアに関連したコンテンツアイテム及びオブジェクトを作成することができるモバイル端末上など、モバイル電子デバイス環境における効果的な利用のための方法、装置及びコンピュータプログラムプロダクトを提供する。その結果、例えば、モバイル端末ユーザーは、改善されたコンテンツ管理機能を享受することができる。
【００１５】
本発明の実施例は一般的な言葉で記述されており、添付の図面について説明するが、図面は必ずしも縮尺通りに描かれている訳ではない。
【図面の簡単な説明】
【００１６】
【図１】本発明の実施例によるモバイル端末のブロックダイアグラムである。
【図２】本発明の実施例による無線通信システムのブロックダイアグラムである。
【図３】本発明の実施例によるメタデータエントリーを提供するためのシステムの部分のブロックダイアグラムを示す。
【図４】本発明の実施例によるメタデータエントリーを提供するためのシステムで使用される専用キーを有するキーボードを示す。
【図５】本発明の実施例によるメタデータタグ及び関連するコンテンツアイテムのリストを示す。
【図６】本発明の実施例に従い、キーと特定メタデータの間の既定の関係を割り当てるために使用されるメタデータエントリーの例を示す。
【図７】本発明の実施例によるメタデータエントリーを提供するための例となる方法によるブロックダイアグラムである。
【発明を実施するための形態】
【００１７】
本発明の実施例は、添付の図面を参考に、以下においてより完全に記述され、本発明の全てではなく、幾つかの実施例が示される。実際に、本発明の実施例は、多くの異なる形式で具体化することができ、ここで説明する実施例に制限されるものとして理解されるべきではない。正確には、この開示が適切な法的必要条件を満たすように、これら実施例が提供される。全体を通し、類似の参照番号は類似の要素を参照する。
【００１８】
本発明の１つの観点である図１は、本発明の実施例からの利益を享受するモバイル端末１０のブロックダイアグラムを示す。しかし、当然のことであるが、図に示され、及び以下で記述される携帯電話は、本発明の実施例からの利益を享受するモバイル端末の１つのタイプの単なる実例であり、それ故に、本発明の実施例の範囲を制限するようとらえるべきではない。モバイル端末１０の幾つかの実施例が示され、用例の目的で以下に記述されるが、携帯情報端末（ＰＤＡ：ｐｏｒｔａｂｌｅ  ｄｉｇｉｔａｌ  ａｓｓｉｓｔａｎｔｓ）、ページャー、モバイルテレビ、ゲームデバイス、ラップトップコンピュータ、カメラ、ビデオレコーダ、オーディオ／ビデオプレイヤー、ラジオ、ＧＰＳデバイス、又は当該の任意の組み合わせ、並びにその他タイプの音声及びテキスト通信システムなど、その他タイプのモバイル端末が、本発明の実施例を容易に採用できる。更に、モバイルでないデバイスもまた、本発明の実施例を容易に採用できる。
【００１９】
加えて、本発明の本方法の幾つかの実施例がモバイル端末１０により実行又は使用されると同時に、本方法はモバイル端末以外により採用されうる。更に、本発明の実施例のシステム及び方法が、モバイル通信アプリケーションと併せて、主に記述される。しかし、当然のことであるが、本発明の実施例のシステム及び方法は、モバイル通信産業の内部及びモバイル通信産業の外部の両方において、様々なその他アプリケーションと併せて利用することができる。
【００２０】
モバイル端末１０は、送信機１４及び受信機１６と操作可能に信号伝送するアンテナ１２又は複数アンテナを有する。モバイル端末１０は、送信機１４に信号を供給し、及び受信機１６から信号を受信する制御器２０又はその他処理要素を更に有する。信号は、適用可能なセルラーシステムのエアインタフェース標準に従うシグナリング情報、並びにユーザスピーチ及び／又はユーザー生成データも有する。これに関し、モバイル端末１０は、１つ以上のエアインタフェース標準、通信プロトコル、変調タイプ、及びアクセスタイプを用いて動作することが可能である。例として、モバイル端末１０は、幾つかの第１、第２、及び／又は第３世代の通信プロトコルなどの何れかに従い動作することができる。例えば、モバイル端末１０は、ＩＳ−１３６ (ＴＤＭＡ)、ＧＳＭ、及びＩＳ−９５ (ＣＤＭＡ)の第２世代（２Ｇ）ワイヤレス通信プロトコル、又はＵＭＴＳ、ＣＤＭＡ２０００、及びＴＤ−ＳＣＤＭＡなどの第３世代（３Ｇ）ワイヤレス通信プロトコルに従い動作することができる。その他のオプションでは、モバイルデバイスはブロードバンドブロードキャストプログラムを受信し、それ故に、この目的のために対応する受信機を持つことができる。
【００２１】
制御器２０は、モバイル端末１０のオーディオおよび論理機能を実装するために必要な回路を有することがわかる。例えば、制御器２０は、デジタル信号プロセッサーデバイス、マイクロプロセッサーデバイス、及び様々なアナログ−デジタル変換器、デジタル−アナログ変換器、並びにその他補助回路から成ることができる。モバイル端末１０の制御及び信号処理機能は、それら各々の機能に従い、それらデバイス間に割り当てられる。このため、制御器２０は、変調及び送信の前に、メッセージ及びデータを畳み込みにより符号化する及びインタリーブするための機能も有することができる。制御器２０は、内部の音声符号化器を更に有することができ、及び内部のデータモデムを有することができる。更に、制御器２０は、１つ以上のソフトウェアプログラムを動作するための機能を有することができ、これらはメモリ内に記憶することができる。例えば、制御器２０は、従来のウェブブラウザなど、接続性プログラムを操作することができる。そして、接続性プログラムは、モバイル端末１０が、例えば、ワイヤレスアプリケーションプロトコル（ＷＡＰ）に従い、位置基準のコンテンツなどのウェブコンテンツを送信及び受信することを可能にする。
【００２２】
モバイル端末１０は、従来のイアホーン又はスピーカー２４、リンガー（ｒｉｎｇｅｒ）２２、マイクロホーン２６、例えば、ＴＶ，モニター又はＬＣＤプロジェクターといった外部ディスプレイともできるディスプレイ２８などの出力デバイス、及びユーザー入力インタフェースを含むユーザーインタフェースを有することもでき、これらの全ては制御器２０と結合される。モバイル端末１０がデータを受信することを可能とするユーザー入力インタフェースは、キーパッド３０、タッチディスプレイ（示されていない）又はその他入力デバイスなど、モバイル端末１０がデータを受信することを可能にする幾つかのデバイスのいずれかを有することができる。キーパッド３０を含む実施例において、キーパッド３０は、通常の数字（０−９）及び関連するキー（＃、＊）、並びにモバイル端末１０を操作するために使用されるその他キーを有することができる。あるいは、キーパッド３０は、従来のＱＷＥＲＴＹキーパッド配置又はキーパッドの任意の変形、又はモバイルデバイスに特定されたキーパッドを有することができる。キーパッド３０は、関連する機能を持つ様々なソフトキーを有することもできる。更に又は代替として、モバイル端末１０は、ジョイスティック又はその他ユーザー入力インタフェースなどのインタフェースデバイスを有することができる。モバイル端末１０は、モバイル端末１０を動作するために必要な様々な回路に電力を供給するための、及び検出可能な出力として機械的振動を任意に供給する、振動式バッテリーパックなどバッテリー３４を更に有する。
【００２３】
１つの実施例において、モバイル端末１０は、制御器２０と信号伝送するカメラ、ビデオ、及び／又はオーディオモジュールなどのメディアキャプチャモジュール３６を有する。メディアキャプチャモジュール３６は、記憶装置、ディスプレイ、又は送信において画像、ビデオ、及び／又はオーディオをキャプチャするための任意の手段とできる。例えば、メディアキャプチャモジュール３６がカメラモジュールである実施例では、カメラモジュール３６は、キャプチャされた画像からデジタル画像ファイルを形成することを可能とするデジタルカメラを有することができる。そのようなものとして、カメラモジュール３６は、レンズ又はその他光学デバイスなどの全てのハードウェア、及びキャプチャされた画像からデジタル画像ファイルを生成するために必要なソフトウェアを有する。あるいは、モバイル端末１０のメモリデバイスが、キャプチャされた画像からデジタル画像ファイルを生成するために必要なソフトウェアの形式で、制御器２０による実行のための命令を記憶するのに対し、カメラモジュール３６は画像を見るために必要なハードウェアのみ有することができる。１つの実施例において、カメラモジュール３６は、制御器２０が画像データを処理すること、並びに符号化器及び／又は復号器が画像データを圧縮及び／又は復元することを補助するコプロセッサーなどの処理素子を更に有することができる。符号化器及び／又は復号器は、ＪＰＥＧ標準フォーマットに従い、符号化及び／又は復号できる。
【００２４】
モバイル端末１０は、汎用識別素子（ＵＩＭ：ｕｎｉｖｅｒｓａｌ  ｉｄｅｎｔｉｔｙ  ｅｌｅｍｅｎｔ）３８を更に有することができる。ＵＩＭ３８は、通常、内蔵のプロセッサーを持つメモリデバイスである。ＵＩＭ３８は、例えば、加入者識別素子（ＳＩＭ：ｓｕｂｓｃｒｉｂｅｒ  ｉｄｅｎｔｉｔｙ  ｅｌｅｍｅｎｔ）、汎用集積回路カード（ＵＩＣＣ：ｕｎｉｖｅｒｓａｌ  ｉｎｔｅｇｒａｔｅｄ  ｃｉｒｃｕｉｔ  ｃａｒｄ），汎用加入者識別素子（ＵＳＩＭ：ｕｎｉｖｅｒｓａｌ  ｓｕｂｓｃｒｉｂｅｒ  ｉｄｅｎｔｉｔｙ  ｅｌｅｍｅｎｔ）、取り外し可能ユーザー識別素子（Ｒ−ＵＩＭ：ｒｅｍｏｖａｂｌｅ ｕｓｅｒ ｉｄｅｎｔｉｔｙ ｅｌｅｍｅｎｔ）などを有することができる。ＵＩＭ３８は、通常、モバイル加入者に関する情報要素を記憶する。ＵＩＭ３８に加え、モバイル端末１０は、メモリを備えることができる。例えば、モバイル端末１０は、データの一時的記憶に対するキャッシュ領域を含む揮発性ランダムアクセスメモリ（ＲＡＭ）など、揮発性メモリ４０を有することができる。モバイル端末１０は、その他の不揮発性メモリ４２を有することもでき、これは内蔵すること及び／又は取り外し可能とすることができる。不揮発性メモリ４２は、Ｃａｌｉｆｏｒｎｉａ、ＳｕｎｎｙｖａｌｅのＳａｎＤｉｓｋ  Ｃｏｒｐｏｒａｔｉｏｎ、又はＣａｌｉｆｏｒｎｉａ、ＦｒｅｍｏｎｔのＬｅｘａｒ  Ｍｅｄｉａ  Ｉｎｃ．から入手可能なものなど、ＥＥＰＲＯＭ、フラッシュメモリ又は同等のものを、追加として、又は代替として有することができる。メモリは、モバイル端末１０の機能を実装するため、モバイル端末１０により使用される幾つかの情報のいずれか、及びデータを記憶することができる。例えば、メモリは、モバイル端末１０を一意的に識別できる能力を持つ、国際モバイル装置識別番号（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなどの識別子を有することができる。
【００２５】
図２を参照すると、本発明の実施例から利益を受けることになるシステムの１つのタイプの説明図が示される。システムは、複数のネットワークデバイスを有する。示されるように、１以上のモバイル端末１０が、基地サイト又は基地局（ＢＳ）４４に信号を送信するための、及び信号を受信するためのアンテナ１２をそれぞれ有する。基地局４４は、１以上のセルラー又はモバイルネットワークの一部であり、それらの各々は、モバイルスイッチングセンター（ＭＳＣ）４６など、ネットワークを動作するために必要な要素を有する。当業者には良く知られたことであるが、モバイルネットワークは、基地局／ＭＳＣ／相互作用機能（ＢＭＩ：Ｂａｓｅ  Ｓｔａｔｉｏｎ／ＭＳＣ／Ｉｎｔｅｒｗｏｒｋｉｎｇ  ｆｕｎｃｔｉｏｎ）として呼ぶこともできる。動作において、ＭＳＣ４６は、モバイル端末１０が呼（ｃａｌｌ）を生成及び受信するとき、モバイル端末１０への及びからの呼をルーチングする能力を有する。ＭＳＣ４６は、モバイル端末１０が呼に関連するとき、地上通信幹線（ｔｒｕｎｋ）への接続を供給することもできる。更に、ＭＳＣ４６は、モバイル端末１０への及びからのメッセージの転送を制御する能力があり、メッセージセンターへの及びからのモバイル端末１０に対するメッセージの転送を制御することもできる。ＭＳＣ４６が図２のシステム内に示されているが、ＭＳＣ４６は、単に例としてのネットワークデバイスであり、本発明の実施例は、ＭＳＣを採用するネットワーク内で使用することに制限されない。
【００２６】
ＭＳＣ４６は、ローカルエリアネットワーク（ＬＡＮ）、メトロポリタンエリアネットワーク（ＭＡＮ）、及び／又はワイドエリアネットワーク（ＷＡＮ）など、データネットワークに接続できる。ＭＳＣ４６は、データネットワークに直接的に接続できる。しかし、１つの典型的な実施例において、ＭＳＣ４６は、ＧＴＷ４８に接続され、ＧＴＷ４８はインターネット５０などのＷＡＮに接続される。言い換えると、処理要素などのデバイス（例えば、パーソナルコンピュータ、サーバーコンピュータなど）は、インターネット５０を介しモバイル端末１０に接続できる。例えば、以下で説明するように、処理要素は、以下で記述するコンピューティングシステム５２（図２内で２つ示される）、オリジンサーバー５４（図２内で１つ示される）などと関連する１以上の処理要素を有することができる。
【００２７】
ＢＳ４４は、シグナリングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）５６に接続することもできる。当業者にはわかることであるが、ＳＧＳＮ５６は、通常、パケット交換サービスにおいて、ＭＳＣ４６と同様の機能を実行する能力を持つ。ＳＧＳＮ５６は、ＭＳＣ４６のように、インターネット５０などのデータネットワークに接続することができる。ＳＧＳＮ５６は、データネットワークに直接的に接続できる。しかし、１つの更なる典型的な実施例において、ＳＧＳＮ５６は、ＧＰＲＳコアネットワーク５８などのパケット交換コアネットワークに接続される。そして、パケット交換コアネットワークは、ＧＴＷ  ＧＰＲＳサポートノード（ＧＧＳＮ）６０などの別のＧＴＷ４８に接続され、ＧＧＳＮ６０はインターネット５０に接続される。ＧＧＳＮ６０に加え、パケット交換コアネットワークは、ＧＴＷ４８に接続することもできる。また、ＧＧＳＮ６０は、メッセージセンターに接続できる。これに関して、ＧＧＳＮ６０及びＳＧＳＮ５６は，ＭＳＣ４６のように、ＭＭＳメッセージなどのメッセージの転送を制御する能力を持つ。ＧＧＳＮ６０及びＳＧＳＮ５６は，メッセージセンターへの及びからのモバイル端末１０に対するメッセージの転送を制御する能力を持つこともできる。
【００２８】
更に、ＳＧＳＮ５６をＧＰＲＳコアネットワーク５８及びＧＧＳＮ６０に接続することにより、コンピューティングシステム５２及び／又はオリジンサーバー５４などのデバイスは、インターネット５０、ＳＧＳＮ５６及びＧＧＳＮ６０を介しモバイル端末１０に接続できる。これに関し、コンピューティングシステム５２及び／又はオリジンサーバー５４などのデバイスは、ＳＧＳＮ５６、ＧＰＲＳコアネットワーク５８及びＧＧＳＮ６０をわたりモバイル端末１０と通信できる。モバイル端末１０及びその他デバイス（例えば、コンピューティングシステム５２、オリジンサーバー５４など）を直接又は間接的にインターネット５０に接続することにより、モバイル端末１０は、モバイル端末１０の様々な機能を実行するために、ハイパーテキスト転送プロトコル（ＨＴＴＰ）に従うなどして、その他デバイスと、及び互いに通信することができる。
【００２９】
全ての可能なモバイルネットワークの全ての要素が、ここに示され、記述されている訳ではないが、モバイル端末１０は、ＢＳ４４を通して、幾つかの異なるネットワークの任意の１つ以上と接続できることは当然のことである。これに関し、ネットワークは、幾つかの第１世代（１Ｇ）、第２世代（２Ｇ）、２．５Ｇ、及び／又は第３世代（３Ｇ）モバイル通信プロトコルなどの任意の１つ以上に従い、通信をサポートする能力を有する。例えば、１つ以上のネットワークは、２Ｇワイヤレス通信プロトコルＩＳ−１３６（ＴＤＭＡ）、ＧＳＭ、及びＩＳ−９５（ＣＤＭＡ）に従い、通信をサポートする能力を有する。また、例えば、１つ以上のネットワークは、２．５Ｇワイヤレス通信プロトコルＧＰＲＳ、拡張データＧＳＭ環境（ＥＤＧＥ：Ｅｎｈａｎｃｅｄ  Ｄａｔａ  ＧＳＭ  Ｅｎｖｉｒｏｎｍｅｎｔ）などに従い、通信をサポートする能力を有する。更に、例えば、１つ以上のネットワークは、ワイドバンドコード分割多元接続（ＷＣＤＭＡ）無線アクセス技術を採用するユニバーサルモバイルテレフォンシステム（ＵＭＴＳ）ネットワークなどの３Ｇワイヤレス通信プロトコルに従い、通信をサポートする能力を有する。幾つかのナローバンドＡＭＰＳ（ＮＡＭＰＳ）及びＴＡＣＳネットワークもまた、デュアル又は高次モードモバイル局（例えば、デジタル／アナログ又はＴＤＭＡ／ＣＤＭＡ／アナログ電話）として、本発明の実施例の利益を得ることができる。
【００３０】
モバイル端末１０は、１以上のワイヤレスアクセスポイント（ＡＰ）６２に、更に接続することができる。ＡＰ６２は、例えば、無線周波数（ＲＦ）、ブルートゥース（ＢＴ）、赤外線（ＩｒＤＡ）、又は、ＩＥＥＥ  ８０２．１１（例えば、８０２．１１ａ、８０２．１１ｂ、８０２．１１ｇ、８０２．１１ｎ)などのワイヤレスＬＡＮ（ＷＬＡＮ）技術、ＩＥＥＥ  ８０２．１６などのＷｉＭＡＸ技術、及び／又は、ＩＥＥＥ  ８０２．１５などのウルトラワイドバンド（ＵＷＢ）技術などを含む、幾つかの異なるワイヤレスネットワーク技術のいずれか、などの技術に従ってモバイル端末１０と通信するよう構成されたアクセスポイントを有することができる。ＡＰ６２は、インターネット５０と接続することができる。ＡＰ６２は、ＭＳＣ４６と同様に、インターネット５０と直接的に接続することができる。しかし、１つの実施例において、ＡＰ６２は、ＧＴＷ４８を介してインターネット５０と間接的に接続される。更に、１つの実施例において、ＢＳ４４は、その他ＡＰ６２として考えることができる。理解されるように、モバイル端末１０及びコンピューティングシステム５２、オリジンサーバー５４、及び／又は任意の幾つかのその他デバイスを直接的又は間接的にインターネット５０に接続することにより、コンピューティングシステム５２にデータ、コンテンツなどを送信し、及び／又は、コンピューティングシステムからデータ、コンテンツなどを受信することなど、モバイル端末１０の様々な機能を実行するために、モバイル端末１０は、コンピューティングシステムなどと互いに通信できる。ここで使用されるように、用語「データ」、「コンテンツ」、「情報」、及び同様の用語は、本発明の実施例に従い、送信、受信、及び／又は記憶されうるデータを参照するために、置き換え可能に使用される。それ故に、そのような用語の使用は、本発明の精神及び範囲を制限するよう、とらえるべきではない。
【００３１】
図２には示されていないが、インターネット５０を介しコンピューティングシステム５２にモバイル端末１０を接続することに加え、又はその代わりに、モバイル端末１０及びコンピューティングシステム５２は、互いに接続し、例えば、ＲＦ、ＢＴ、ＩｒＤＡ、又はＬＡＮ、ＷＬＡＮ、ＷｉＭＡＸ及び／又はＵＷＢ技術を含む幾つかの異なる有線又は無線通信技術のいずれか、に従い通信することができる。１以上のコンピューティングシステム５２は、コンテンツを記憶する能力を持つ取り外し可能メモリを、追加として又は代替として有することができ、そのコンテンツは、その後モバイル端末１０に転送される。更に、モバイル端末１０は、プリンター、デジタルプロジェクター並びに／又はその他マルチメディアをキャプチャし、生成し、及び／若しくは記憶するデバイス（例えば、その他の端末）など、１以上の電子デバイスと接続することができる。コンピューティングシステム５２と同様に、モバイル端末１０は、例えば、ＲＦ、ＢＴ、ＩｒＤＡ、又はＵＳＢ、ＬＡＮ、ＷＬＡＮ、ＷｉＭＡＸ及び／又はＵＷＢ技術を含む幾つかの異なる有線又は無線通信技術のいずれか、などの技術に従い、携帯電子デバイスと通信するよう構成できる。
【００３２】
本発明の１つの実施例は、図３を参照に記述され、ここでは、メタデータエントリーを供給するためのシステムの特定要素が示されている。図３のシステムは、例えば、図１のモバイル端末１０に採用することができる。しかし、注目すべきこととして、図３のシステムは、モバイル及び固定両方のその他の様々なデバイスに採用することもでき、それ故に、本発明は、図１のモバイル端末１０などのデバイス上のアプリケーションに制限されるべきではない。例えば、図３のシステムは、パーソナルコンピュータ、カメラ、ビデオレコーダ、リモートサーバなどに採用することができる。あるいは、実施例は、例えば、上で挙げたものを含むデバイスの組み合わせ上に採用できる。しかし、注意すべきこととして、図３は、メタデータを基にしたコンテンツ管理に使用されるメタデータエントリーを供給するためのシステムの構成の１例を示すものであるが、本発明の実施例を実装するために、多くのその他の構成も使用することができる。
【００３３】
図３を参照にして、メタデータエントリーを供給するためのシステムが提供される。システムはタグ付け要素７０、インタフェース要素７２、及び記憶要素７４を有する。タグ付け要素７０、インタフェース要素７２、及び記憶要素７４のいずれか又は全ては、単一デバイス内に配置できることに注意すべきである。例えば、図１のモバイル端末１０は、タグ付け要素７０、インタフェース要素７２、及び記憶要素７４の全てを有することができる。あるいは、タグ付け要素７０、インタフェース要素７２、及び記憶要素７４のいずれか又は全ては、異なるデバイス内に配置することができる。例えば、タグ付け要素７０、インタフェース要素７２、及び記憶要素７４の１つ以上をサーバー又はリモートディスプレイに配置することができ、一方で、その他はサーバー又はリモートディスプレイと通信するモバイル端末に配置される。１つの実施例において、タグ付け要素７０は、モバイル端末１０又はサーバーのメモリ内に記憶されるソフトウェア命令により表現され、制御器２０又はサーバーの処理要素などの処理要素により実行される。インタフェース要素７２は、例えば、キーパッド３０及びディスプレイ２８、並びに関連するハードウェア及びソフトウェアを有することができる。注意すべきこととして、インタフェース要素７２をソフトウェア内に完全に搭載することもでき、これは、例えば、指、スタイラス（ｓｔｙｌｕｓ）などを使用するタッチスクリーンを介してアクセスできるソフトウェアキーなどの機能要素を使用するインタフェースにおいて、タッチスクリーンが採用される場合などである。記憶要素７４は、図１のモバイル端末１０に関連して、上で記述されたメモリデバイスのいずれか、又は処理要素によるアクセスが可能であり、並びにタグ付け要素７０及びインタフェース７２と接続されるその他の適切なメモリデバイスとすることができる。本発明の実施例は、主に、図又は写真などの静止画像であるコンテンツアイテムに照らし、以下に記述されるが、モバイル端末１０又は本発明の実施例を採用するその他任意のデバイスにおいて生成することができるコンテンツアイテムも想定されることにも注意すべきである。１つの代替は、１つのデバイスにより現在記録されるビデオである。本発明の実施例に従い、ユーザーはビデオに簡単にメタデータを追加できる。状況に従い、挿入されるべきメタデータは「本日の天気状況をメタデータとしてビデオに追加しますか？」と提案できる。後程、ユーザーは、記録が行われたこと、及び記録の時刻における天候（例えば、夏季で、温度は７０Ｆなど）を見ることができる。
【００３４】
別の実施例は、ユーザーがスクリーン上で使用しているｅｍａｉｌ又はその他アプリケーションが、この革新的なアプローチを用いるメタデータにより取り込みできることである。１つの実施例において、ユーザーは、異なるアプリケーションの情報間で相互参照するための命令を与えられる。例えば、ユーザーがｅｍａｉｌを開き、またブラウザも開いている場合、タグ付けにより、ユーザーはｅｍａｉｌにメタデータ情報を与えることができる。１つの実施例において、タグボタンをクリックすると、システムが「このｅｍａｉｌに関連して現ＵＲＬを付加しますか？」と尋ねることができる。一方の「ＹＥＳ」をクリックすることにより、メタデータはｅｍａｉｌに付加される。更に１つの実施例において、ユーザーは幾つかのウェブページをブラウズし、事柄を関連付けることによりユーザーの記憶内で異なる物事又は事柄を一緒にリンクすることができる。ユーザーがブラウズしたウェブページにメタデータを付加することを希望するとき、タブボタンがクリックされると、ユーザーは、例えば、「このウェブページにメタデータとしてｗｗｗ．ｎｏｋｉａ．ｃｏｍを付加しましか？」と聞かれる。「Ｙｅｓ」をクリックすることにより、メタデータが付加される。１つの実施例では、メタデータ情報は、ウェブページテキスト又はウェブページ内に示される図からさえ取ることができる。インタフェース要素７２は、メタデータ選択にブラウザ機能を追加することにより、ウェブページからテキスト又は画像データをキャプチャするための選択肢を有することができる。例えば、ユーザーが「メタデータ追加」を選択したとき（例えば、タグボタンにより）、ブラウザータイプウィンドウが開かれ、ユーザーはページをスクロールし、テキスト若しくは画像、ビデオ、又は例えば広告の所望する部分を選択できる。ユーザーが所望する部分を選択し終えると、ユーザーは、現在開かれているアプリケーションにメタデータとしてこれら部分が追加されることを承認するかどうかを尋ねられる。ユーザーが「Ｙｅｓ」を選択した場合、メタデータが付加され、ユーザーは、例えば、デバイス内の探索において、この情報を利用することの利点を持つ。メタデータは、ｈｔｍｌ又はｘｍｌドキュメントの特定部分にリンクすることもできる。これが行われると、この特定部分及びメタデータのｍａｐを更に発展することができる。
【００３５】
１つの実施例において、タグ付け要素７０、及び／又はインタフェース要素７２は、モバイル端末１０のメモリ上に記憶され、制御器２０により実行される命令として、ソフトウェア内に搭載できる。しかし、あるいは、上の要素の各々は、対応するローカル処理要素又は図３で示されないその他デバイスの処理要素の制御下において動作できる。上記したような処理要素は、多くの方法において具体化できる。例えば、処理要素は、プロセッサー、コプロセッサー、制御器、又は、例えば、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）などの集積回路を含む様々なその他の処理方法若しくはデバイスとして搭載される。
【００３６】
タグ付け要素７０は、メタデータタグ７６をコンテンツアイテム７８に割り当てる、又はメタデータタグ７６を変更するためのタグ付けアプリケーション８２を実行する能力を有するハードウェア、ソフトウェア、若しくはハードウェアとソフトウェアの組み合わせのいずれかで具体化される任意のデバイス又は手段とすることができる。１つの実施例において、タグ付け要素７０は、カメラモジュール３６と操作可能に通信することができる。これに関して、タグ付け要素７０は、カメラモジュール３６から、コンテンツアイテム７８が生成間近である、又は生成されたという指示８０を受信する。例えば、指示８０は、コンテンツアイテムを生成するという意思を示すものとでき、これは、カメラアプリケーションが起動したとき、レンズカバーの取り外しが検出されたとき、又はその他の適切な状態のときに推測される。指示８０がコンテンツアイテムを生成するという意思を示すものであるという実施例において、コンテンツアイテム７８の生成の際に、背景又は近隣（ｐｒｏｘｉｍｉｔｙ）情報への参照を含むメタデータタグ７６をコンテンツアイテム７８に割り当てるために、例えば、タグ付け要素７０は、近隣のデバイス又は個人に関する背景情報又は近隣情報を利用することができる。これに関して、背景情報は、現在動作しているアプリケーション、音楽、時間及びデータなど任意の適切なソース（ｓｏｕｒｃｅ）から実時間の方法、即ち「オンザフライ（ｏｎ  ｔｈｅ  ｆｌｙ）」で集められる。あるいは、指示８０は、コンテンツアイテム７８の実際の生成に応答してトリガーされる。このように、指示８０の受信は、ユーザーがメタデータタグ７６をコンテンツアイテム７８に適用することを可能にするため、タグ付けアプリケーションを起動するようにタグ付け要素７０をトリガーできる。
【００３７】
例えば、オブジェクトを選択する、及び／又はコンテンツアイテム７８などを提示する（ｒｅｎｄｅｒｉｎｇ）、及び、タグ付けアプリケーションを起動するオプションのメニューを介してなど、更にオプションを選択することにより、タグ付けアプリケーションを手動で起動することもできる。あるいは、図４に示されるように、本発明の１つの観点において、専用キー８４がタグ付けアプリケーションを起動するために設けられる。図４は標準ＱＷＥＲＴＹキーボードのキーとして専用キー８４を図示しているが、専用キー８４は典型的なモバイル端末キーパッド上の、又はタッチスクリーンディスプレイのボタン又はキーとすることもできることに注意すべきである。これに関して、専用キー８４は、モバイル端末上のキーの位置に関わらず、ソフトキー又はその他キーとすることができる。
【００３８】
専用キー８４は、任意の多数の機能を有することができる。例えば、専用キー８４はタグ付けアプリケーションを手動で起動するために使用でき、従って、ユーザーが、メタデータタグを、例えば、選択されたコンテンツアイテムに適用するために、タグ付け要素７０を使用することを可能にする。あるいは、コンテンツアイテムが現状選択されていない場合、専用キー８４が、本発明の１つの観点を記述する、例えば、図５に示されるように、メタデータタグ及び関連するコンテンツアイテムのリスト８６を表示するためのタグ付けアプリケーションを起動するために使用できる。これに関し、リスト８６は、リスト８６を編成するために使用できる背景情報又はその他の情報を更に有することができる。例えば、ユーザーの好みは、背景情報、近似情報により、入力された若しくは変更されたデータにより、アルファベット順などにより、又はこれらの組み合わせにより、リスト８６が編成されることを特定するために使用される。リスト８６は、関連するサービス又はアプリケーションに関わらず、全てのサービス内でアクセスされ、全てのタグを表示するため、リスト８６は汎用タグデータベースと考えることができる。従来のタグは、異なる背景において再利用でき、それ故に、特定の背景内にあるとき、その特定の背景内で使用されるタグのみを見ることができる。しかし、全てのタグ及びそれらに関連するコンテンツアイテムが、ユーザーの好み又はユーザーの選択に従い、単一のデータベースから見ることができるように、本発明の実施例は、全ての背景に対するタグの汎用的なリスト出力を出すためのリスト８６を備える。リスト８６は、例えば、モバイル端末又はサーバーのどちらか一方に配置することができる、例えば、記憶要素７４上に記憶できる。リスト８６内の個別のメタデータタグは、選択されたメタデータタグの変更に対し選択できる。メタデータタグの変更は、コンテンツアイテム自身から始めることもできる。言い換えると、コンテンツアイテムが提示されているとき、コンテンツアイテムに関連するメタデータタグを変更するための選択肢を選択することが可能である。本発明の更なる１つの実施例において、リスト８６は、例えば、ウェブページなどのブラウザ可能コンテンツ、ＵＲＬ、又は特定ＵＲＬ内に示されるコンテンツのその他の部分のリストを有することができる。例えば、１つのＵＲＬが選択されたとき、次のステップは、そのＵＲＬ、又は、例えば、テキストの様なウェブページの一部分をメタデータとして関連付けるべきかどうかを明確にすることである。これは、「メタデータとしてＵＲＬを付加しますか？」、「メタデータとしてページ内のテキストを付加しますか？」、又は「メタデータとして選択された部分を付加しますか？」などを選択するための選択肢を階層的に与えることにより、ユーザーインタフェース内で、ユーザーに示される。例えば、メタデータをビデオに付加するとき、付加されたメタデータは、メタデータとして組み込まれるタグウィンドウ内の、例えば、ブラウズされた詳細な情報、又は役者（ａｃｔｏｒ）の少なくとも選択された情報部分とすることができる。
【００３９】
当然のことであるが、専用キー８４はあらゆるサービス内で使用できるが、専用キー８４は、サービスの各々の開発者により規定されているように、サービスの各々内に異なる機能を有することができる。このように、専用キー８４がタグ付けアプリケーションを起動すること、及び各異なるサービスにタグを割り当てることに関連するように、開発者が専用キー８４に対して所望の機能を「記録」することを可能にすることにより、専用キー８４はサービス開発者に対し、オープンＡＰＩを提供する。
【００４０】
１つの実施例において、タグ付け要素７０は、特定キーと対応するメタデータを結び付けることができ、それ故に、所定のメタデータタグ及び選択されたキーと関連付けられる値を提供する。このように、コンテンツアイテムに関するタグ付けアプリケーションを実行するとき、コンテンツアイテムに特定キーに対応するメタデータをタグ付けするためのショートカットとして、特定キーが選択される。これに関して、タグ付けアプリケーションは、専用キー８４の使用、及びそれに続くコンテンツアイテムにタグ付けするための特定キーの選択などにより、事前に起動することができる。あるいは、特定キーが選択されるとき、単なるコンテンツアイテムの選択は、特定キーに対応するタグでコンテンツアイテムのタグ付けすることを十分に可能とする。例えば、ナンバー２キーなどのモバイル端末キーパッドからのキーが、トピックなどの特定メタデータタイプ及び誕生日などの値に関連付けられる。それ故に、誕生日イベントにおいて撮られる画像の生成に続いて、画像生成の指示がタグ付けアプリケーションを起動し、誕生日イベントと関連付けられるものとして画像を認識するメタデータを割り当てるために、ユーザーがナンバー２キーを押すことを可能とするよう、タグ付け要素７０が用いられる。あるいは、コンテンツアイテムが提示されている間にナンバー２キーを押すことが、タグ付けアプリケーションを起動する。１つの実施例において、割り当てられたメタデータに関する更なる特異性が達成される。例えば、誕生日を有する個人の名前などのその他の情報を入力できる。これに関して、その他の情報をナンバー２キーに事前に割り当てることができ、又は誕生日メタデータを割り当てるためにナンバー２キーが押された後に付加することができる。メタデータは、例えば、誕生日、名前、又は中国、上海、レストランＸｕａｎ、トップタワービルといった旅行など、階層的順序となる。この後者の情報は、例えば、ＷＬＡＮアクセスポイント情報を介し、又はそのレストランの、そのエリアのローカルサービスによりもたらされる。その他の代替として、メタデータエントリーは日記への入力として使用することができる。
【００４１】
本発明の１つの観点である図６は、実施例に従い、キーと特定メタデータ間の所定の関係を割り当てるために使用できるメタデータエントリーの例を示す。メタデータエントリーは、記憶要素７４内に記憶され、所定の関係を割り当てるために、例えば、モバイル端末を介してユーザーによるアクセスが可能である。従って、メタデータエントリーは、サーバー（即ち、インターネットサーバー若しくはプレゼンスサーバー）又はモバイル端末又はその他の電子デバイスのいずれか１つにおいて記憶される。図６に示されるように、ディスプレイ８８は、メタデータエントリー８９に関連する特性を定義するフィールドを含むメタデータエントリー８９に関連する情報を提示できる。例えば、特性は属性フィールド９０を有し、これは、イベント、日付、時間、タイトル、近隣（Ｂｌｕｅｔｏｏｔｈ（登録商標）、ＷＬＡＮ、若しくはＲＦＩＤを介し決定される）にあるデバイス又は人物の名前、存在情報、プレイリスト又はジャンル情報（即ち、ロック、リラックス、パーティー、スポーツ、ラテン、Ｒ＆Ｂ、ヘビー）などのメタデータのトピック又はタイプを定義する。特性は、どのキーがメタデータエントリー８９と関連するかを示すキーインジケータフィールド９２を有することもできる。任意には、特性は、関連する値を属性フィールド９０の値の供給する、又はメタデータエントリー８９に関連する情報を更に特定する変更子フィールド９４（又は複数の変更子フィールド）を有することができる。
【００４２】
所定の関係は、タグ付けアプリケーションを介し割り当てることができる。キーパッドのキーは、メタデータエントリーに関連する特性が事前に割り当てられる。例えば、タグ付けアプリケーションは、専用キー８４又はその他メカニズムのいずれかを介して起動することができ、タグ付け要素７０は、特定キーと関連付けられることになる属性フィールド９０に１つの値を割り当てるために、インタフェース要素７２と関連し使用される。割り当ての１つの方法（即ち、キーとメタデータエントリー間の関連を事前定義する）は、別のオプション又はタグ付けアプリケーション内のメニューとできる。図６に示されるように、ナンバー２キーなどのキーパッドのキーが選択される。そして、現在のキー割り当てにおけるメタデータエントリー８９がナンバー２に関連するだろうことを明記するために、ナンバー２がキーインジケータフィールド９２内に現れる。そして、インタフェース要素７２が、トピックフィールド９０、及び必要に応じて、変更子フィールド９４内に１つの値を入れるために使用される。１つの実施例において、事前定義されたものよりむしろ、メタデータエントリー８９をコンテンツアイテムに割り当てることに応答し、１つの値を変更子フィールド９４内に挿入することができる。
【００４３】
インタフェース要素７２を介し、属性フィールド９０又は変更子フィールド９４のいずれか一方の中への値のエントリーは、任意の適切な形式を取ることができる。例えば、キーパッドを用いて値をタイプする又は綴る（ｓｐｅｌｌｉｎｇ）ことにより、値を１つ以上の属性及び／又は変更子フィールド９０及び９４内に手動で入れることができる。その他の例として、様々なトピックスがリストから事前定義及び選択することができる。例えば、インタフェース要素７２は、休日、フットボール、ホッケー、クリスマス、春休み、記念日、誕生日など、様々な可能性のある事前タイプされた値を循環するために使用することができる。更なるその他の例として、上記した例の組み合わせが提供される。更に注意すべきこととして、キーの特定の組み合わせ又は系列を特定メタデータエントリーに関連付けることもできる。例えば、キー系列「３１３」のエントリーは、「車」などの特定メタデータエントリーを現在表示されているコンテンツアイテムに関連付けられる。そして、特有の車に関する追加の情報が、ドナルドダックの車に対して、「ドナルドダック」などの変更子として追加される。
【００４４】
従って、図６に示される例による動作において、誕生日イベントにおける写真が撮られた場合、画像キャプチャに続き、誕生日イベントに対応するメタデータを割り当てるために、ナンバー２キーが押される。そして、変更子を追加するためのオプションが現れ、それに応えて、Ａｒｉの名前を挿入することができ、それ故に誕生日がＡｒｉの誕生日であることが示される。あるいは、ナンバー２キーがＡｒｉに関係付けられ、誕生日イベントは変更子として追加される。その他の代わりとして、ナンバー２キーがＡｒｉ又は誕生日イベントの１つに関連付けられ、その後に他方が変更子として追加されるだけではなく、Ａｒｉと誕生日の組み合わせに関連付けることができる。言い換えると、ナンバー２キーは、上記したように設定される所定の関係を介し、Ａｒｉの誕生日と直接に関連付けられる。
【００４５】
実施例の更なる特定の例として、写真を撮り、ディスプレイ８８上に画像を表示した後、ナンバー２キー（Ａｒｉの誕生日に対応するよう先に定義される）を選択することができる。例えば、「この画像に対し、メタデータとしてＡｒｉの誕生日を追加しますか？」と提示する会話を表示する。そして、ユーザーは、受諾し、画像にメタデータを割り当てるため、再度、ナンバー２キー（又は、その他の指定されたキー）を選択する。あるいは、メタデータは、選択後、自動的に割り当てられる。そして、Ａｒｉの誕生日は、メタデータとして画像に関連付けられ、このメタデータは、全てのその他の汎用的に生成されたメタデータエントリーと共に閲覧するために、リスト８６に追加され、ここでは適切な方法で記録又は編成される。更に、背景又は近隣情報をメタデータとして画像に関連付けることもでき、そのような情報は、対応するメタデータエントリーに関連して、リスト８６内に表示することもできる。
【００４６】
コンテンツアイテムに関連してメタデータを追加する又は変更することは、生成の時間のみにおけるアプリケーションに制限される必要はない。むしろ、メタデータは、任意の時間において、追加又は変更することができる。例えば、一連の画像が写真ライブラリーから閲覧されている（又は、曲がオーディオコレクションから聴くことができる）場合、現状選択されている画像（又は曲）は、割り当てられるべき所望のメタデータに関連付けられるキーを同様に押すことにより割り当てられる（又は変更される）メタデータを持つことができる。
【００４７】
１つの実施例において、ナンバー０から９に関連付けられるキーが、単一のメタデータエントリーにそれぞれ割り当てられ、例えば、最も使用される上位１０のメタデータエントリーが、ナンバー０から９に関連付けられる対応するキーに割り当てられる。メタデータエントリーは、異なるアプリケーション（即ち、オーディオ、ビデオ、画像、若しくはその他メディアアプリケーション）に対し、異なるコンテンツタイプ（即ち、メディア、テキスト、ウェブページなど）に対し、異なる背景に対して異なり、又は、背景情報（即ち、場所、時間、温度など）により、若しくは上記の異なる組み合わせに対し、実時間で生成することができる。従って、各キーは、１つの特定のアプリケーション、コンテンツタイプ又は背景の内でも、及び複数のアプリケーション、コンテンツタイプ又は背景にまたがっても、複数のメタデータエントリーに関連することができる。複数アプリケーションのいずれかにおけるタグ付けをサポートするための柔軟性を供給するために、フリーテキストのエントリー又は存在するメタデータエントリーの変更を許可するため、タグ付け要素７０は、現状選択されたコンテンツアイテムに関連したアプリケーション、コンテンツタイプ、又は背景を決定する能力を有する。このように、メタデータエントリーに対する特定キーの関連は、生成又は提示（ｒｅｎｄｅｒｉｎｇ）の時間における、コンテンツアイテムと関連するアプリケーション、コンテンツタイプ、及び／又は背景への参照を有する。アプリケーション、コンテンツタイプ、及び／又は背景へのこのような参照は、例えば、変更子フィールド９４内、又はメタデータエントリーのその他部分内に提供される。あるいは、１以上のメディアファイルを選択することができ、及び、１以上のキーを選択することもでき、このため、メディアファイルのグループが更なるメタデータ割り当てを有する。
【００４８】
１つの実施例において、キーインジケータフィールド９２の各値は、属性及び／又は変更子フィールド９０及び９４内の複数の対応する値を有することができる。言い換えると、キー割り当ての間、同一キーが１より多い異なるメタデータエントリーに割り当てられる。従って、フィールドのいずれかが固定のままであり、残りのフィールドにおける可変値が循環するように、上で言及した循環機能を実行することができる。例えば、ナンバー２キーに関連する、属性フィールド９０における全ての可能な値が循環される。そのような実施例において、タグ付けの間に、複数の属性及び／又は変更子の値に関連するキーが押されると、キーに関連する値が、ユーザーによる選択のための統計的確率の順序で提示される。言い換えると、最もありそうな値が最初に、又は他の値よりも顕著に提示され、その他の値は、可能性の降順で提示される。例えば、ナンバー２キーが、属性フィールド９０の値、ホッケー、フットボール及び野球と関連し、ナンバー２キーと関連する全てのメタデータエントリーの６５％がホッケーと関連し、２５％がフットボールと関連し、及び１０％が野球と関連する場合、ホッケーが最初に表示され、又はボタンの一押しにより選択可能であり、一方、フットボール及び野球は、各々、２番目、３番目に表示され、又は、１回以上の更なるボタン押しにより選択可能である。図６に示されるように、メタデータエントリー８９は、いずれかのフィールドの値の変更に続いて、保存又は拒否される。更に、拡張された機能のためにオプションメニューが提供され、及び、前のスクリーンに戻るため、又はキー割り当て若しくはタグ付けアプリケーションのいずれか一方から抜けるため、戻る（ｂａｃｋ）又は終了の選択が提供される。
【００４９】
図７は、本発明の実施例によるシステム、方法、及びプログラムプロダクトのフローチャートである。当然のことではあるが、フローチャートの各ブロック又はステップ、及びフローチャート内のブロックの組み合わせは、ハードウェア、ファームウェア、及び／又は１以上のコンピュータプログラム命令を有するソフトウェアなど、様々な手段により実装することができる。例えば、上記した１以上の手順は、コンピュータプログラム命令により具体化することができる。これに関して、上記した手順を具体化するコンピュータプログラム命令は、モバイル端末のメモリデバイスにより記憶され、及びモバイル端末内の内蔵プロセッサーにより実行される。理解されるように、任意のそのようなコンピュータプログラム命令は、コンピュータ、又は１つの機械を生産するためのその他プログラム可能装置（即ち、ハードウェア）上に読み込むことができ、コンピュータ又はその他プログラム可能装置上で実行する命令は、フローチャートブロック又はステップ内で明記される機能を実装するための手段を生成する。これらコンピュータプログラム命令は、コンピュータ又はその他プログラム可能装置に特定の方法で機能するよう指示できるコンピュータ読み取り可能メモリ内に記憶することもでき、それにより、コンピュータ読み取り可能メモリ内に記憶された命令は、フローチャートブロック又はステップ内で明記される機能を実装する命令手段を有するプロダクトの項目を実現する。コンピュータプログラム命令は、コンピュータに実装されるプロセスを実現するため、一連の動作ステップがコンピュータ又はその他プログラム可能装置上で実行されよう、コンピュータ又はその他プログラム可能装置上に読み込むこともでき、これにより、コンピュータ又はその他プログラム可能装置上で実行する命令は、フローチャートブロック又はステップ内で明記される機能を実装するためのステップを供給する。
【００５０】
従って、フローチャートのブロック又はステップは、特定の機能を実行するための方法の組み合わせ、特定の機能を実行するためのステップの組み合わせ、及び特定の機能を実行するためのプログラム命令手段をサポートする。当然のことであるが、フローチャートの１以上のブロック又はステップ、及びフローチャート内のブロック又はステップの組み合わせは、特定の機能若しくはステップ、又は特定目的のハードウェアとコンピュータ命令の組み合わせを実行する特定目的のハードウェアを基礎とするコンピュータシステムにより実装することができる。
【００５１】
これに関して、メタデータエントリーを提供するための方法の１つの実施例は、動作２００において、電子デバイスを介してメディアファイルなどの活動を提示することを有する。動作２１０において、電子デバイスのキーの選択が受信される。キーは、ハードウェア又はソフトウェアキーのどちらか一方とできる。メタデータエントリーは、ユーザーデバイス又はネットワークデバイスのどちらか一方からアクセスでき、手動により、又はユーザーデバイス、サーバー若しくは特定アプリケーション上にあるメタデータから、生成することができる。メディアファイルなど提示された活動のメタデータエントリーは、動作２２０において、キーの選択に応じて変更される。メタデータを変更することは、提示された活動のメタデータとして、選択されたキーのメタデータエントリーを割り当てることを有する。あるいは、メタデータを変更することは、選択されたキーに関連する提示された活動のメタデータを提示することを有する。任意には、動作２３０において、更なる関連するデータがメタデータエントリーと関連付けられる。更なる関連するデータは、近隣のデバイス若しくはユーザー、又は存在情報に基づく。あるいは、更なる関連するデータは、背景情報、メディアタイプ情報、及び／又は提示するアプリケーションに関連する情報を有することができる。メタデータエントリーは、コンテンツアイテムが提示されている間に表示される。その他の任意の動作として、動作２４０において、全メタデータエントリー及び対応するコンテンツアイテムを含むリストを表示するために専用キーが選択される。リストは、メタデータタグが関連付けられるアプリケーションに関らず、全メタデータタグを含む汎用リストとできる。
【００５２】
再び注意すべきこととして、上の実施例が、主にコンテンツアイテムに関連する画像に即して記述されているが、本発明の実施例は、その他のコンテンツアイテムに即して実施することもできる。例えば、コンテンツアイテムは、画像に制限されず、ビデオファイル、テレビブロードキャストデータ、テキスト、ウェブページ、ウェブリンク、オーディオファイル、無線ブロードキャストデータ、ブロードキャストプログラムガイドデータなどを有することができる。本発明の実施例は、単一のデバイス上のアプリケーションに限定される必要がないことにも注意すべきである。言い換えると、本発明の実施例による方法の幾つかの動作は、１つのデバイス上で実行され、その他の動作は異なるデバイス上で実行される。同様に、上記した１以上の動作は、互いに通信する方法又はデバイスの組み合わされた作用により実行することができる。
【００５３】
上記した機能は、多くの方法で実行することができる。例えば、上記した機能の各々を実行するための適切な手段が、本発明を実行するために採用される。１つの実施例において、本発明の要素の全て又は部分は、一般的に、コンピュータプログラムプロダクトの制御下で動作する。本発明の実施例の方法を実行するためのコンピュータプログラムプロダクトは、不揮発性記憶媒体などのコンピュータ読み取り可能記憶媒体、及びコンピュータ読み取り可能記憶媒体内に搭載される一連のコンピュータ命令などのコンピュータ読み取り可能プログラムコード部分を有する。
【００５４】
上の記述及び関連する図面内に提示された教示の助けを借りることで、ここで説明した本発明の多くの変更及びその他の実施例は、これら発明に関係する当業者には思い付くことであろう。それ故に、当然のことながら、本発明は開示された特定の実施例に制限されるものではなく、変更及びその他の実施例は、添付する請求項の範囲内に含まれることを意図する。特定の用語がここで採用されているが、それらは一般的及び記述的な意味でのみ使用されており、制限を目的とするものではない。
【図１】
2009540447.tif 000003
【図２】
2009540447.tif 000004
【図３】
2009540447.tif 000005
【図４】
2009540447.tif 000006
【図５】
2009540447.tif 000007
【図６】
2009540447.tif 000008
【図７】
2009540447.tif 000009
【手続補正書】
【提出日】平成21年5月14日(2009.5.14)
【手続補正２】
【補正対象書類名】明細書
【補正対象項目名】０００１
【補正方法】変更
【補正の内容】
【０００１】
本発明の実施例は、一般的には、コンテンツ管理技術に関連し、より詳細には、コンテンツ管理用にメタデータエントリーを採用するための方法、デバイス、モバイル端末、及びコンピュータ読み取り可能記憶媒体に関連する。
【手続補正３】
【補正対象書類名】明細書
【補正対象項目名】０００８
【補正方法】変更
【補正の内容】
【０００８】
効率的なメタデータエントリーを可能とするため、方法、装置及びコンピュータ読み取り可能記憶媒体が提供される。特に、方法、装置及びコンピュータ読み取り可能記憶媒体は、例えば、モバイル端末のユーザーが、キーボード、キーパッド又はタッチスクリーンキー要素のいずれかのキーなど、特定の機能要素を特定のメタデータに関連付けることを可能とするよう規定される。それ故に、モバイル装置内に採用することは困難であるドラッグ（ｄｒａｇ）及びドロップ（ｄｒｏｐ）動作の使用無しで、より効率的なタグ付けが実行される。更に、専用キー又は共有キーが、与えられたタグ付け特性の特定の実施例を実装するために提供される。キーの選択は、編集可能なタグの組み込みをもたらし、インターネットサービス又はモバイルデバイスアプリケーション上で個別のタグ付き特性を起動し、又は使用されるべきタグ又は複数タグをユーザーが選択できる事前作成されたメタデータタグの集まりを表示することをもたらす。従って、メタデータタグ使用の効率性及び普遍性が増加し、モバイル端末におけるコンテンツ管理を改善することができる。
【手続補正４】
【補正対象書類名】明細書
【補正対象項目名】０００９
【補正方法】変更
【補正の内容】
【０００９】
１つの実施例において、メタデータタグ付けを提供する方法が提供される。本方法は、電子デバイスを介しメディアファイルなど活動（ａｃｔｉｖｉｔｙ）を提示（ｒｅｎｄｅｒ）すること、電子デバイスのキーの選択を受信すること、及びキーの選択に応じて提示されたメディアファイルのメタデータエントリーを変更することを有する。メタデータエントリーを変更することは、選択されたキーのメタデータエントリーを、提示されたメディアファイルのメタデータとして割り当てることを有する。メタデータエントリーを変更することは、あるいは、選択されたキーに関して、提示されたメディアファイルのメタデータを提示することを有する。
【手続補正５】
【補正対象書類名】明細書
【補正対象項目名】００１０
【補正方法】変更
【補正の内容】
【００１０】
その他の実施例において、メタデータタグ付けを提供するためのコンピュータ読み取り可能記憶媒体が提供される。コンピュータ読み取り可能記憶媒体は、内部に記憶されるコンピュータ読み取り可能プログラムコード部分を持つ少なくとも１つのコンピュータ読み取り可能記憶媒体を有する。コンピュータ読み取り可能プログラムコード部分は、第１、第２及び第３の実行可能部分を有する。第１の実行可能部分は、電子デバイスを介しメディアファイルなど活動を提示するためのものである。第２の実行可能部分は、電子デバイスのキーの選択を受信するためのものである。第３の実行可能部分は、キーの選択に応じて提示されたメディアファイルのメタデータエントリーを変更するためのものである。
【手続補正６】
【補正対象書類名】明細書
【補正対象項目名】００１４
【補正方法】変更
【補正の内容】
【００１４】
本発明の実施例は、様々なタイプのメディアに関連したコンテンツアイテム及びオブジェクトを作成することができるモバイル端末上など、モバイル電子デバイス環境における効果的な利用のための方法、装置及びコンピュータ読み取り可能記憶媒体を提供する。その結果、例えば、モバイル端末ユーザーは、改善されたコンテンツ管理機能を享受することができる。
【手続補正７】
【補正対象書類名】明細書
【補正対象項目名】００４９
【補正方法】変更
【補正の内容】
【００４９】
図７は、本発明の実施例によるシステム、方法、及びプログラムのフローチャートである。当然のことではあるが、フローチャートの各ブロック又はステップ、及びフローチャート内のブロックの組み合わせは、ハードウェア、ファームウェア、及び／又は１以上のコンピュータプログラム命令を有するソフトウェアなど、様々な手段により実装することができる。例えば、上記した１以上の手順は、コンピュータプログラム命令により具体化することができる。これに関して、上記した手順を具体化するコンピュータプログラム命令は、モバイル端末のメモリデバイスにより記憶され、及びモバイル端末内の内蔵プロセッサーにより実行される。理解されるように、任意のそのようなコンピュータプログラム命令は、コンピュータ、又は１つの機械を生産するためのその他プログラム可能装置（即ち、ハードウェア）上に読み込むことができ、コンピュータ又はその他プログラム可能装置上で実行する命令は、フローチャートブロック又はステップ内で明記される機能を実装するための手段を生成する。これらコンピュータプログラム命令は、コンピュータ又はその他プログラム可能装置に特定の方法で機能するよう指示できるコンピュータ読み取り可能メモリ内に記憶することもでき、それにより、コンピュータ読み取り可能メモリ内に記憶された命令は、フローチャートブロック又はステップ内で明記される機能を実装する命令手段を有するプログラムの項目を実現する。コンピュータプログラム命令は、コンピュータに実装されるプロセスを実現するため、一連の動作ステップがコンピュータ又はその他プログラム可能装置上で実行されよう、コンピュータ又はその他プログラム可能装置上に読み込むこともでき、これにより、コンピュータ又はその他プログラム可能装置上で実行する命令は、フローチャートブロック又はステップ内で明記される機能を実装するためのステップを供給する。
【手続補正８】
【補正対象書類名】明細書
【補正対象項目名】００５１
【補正方法】変更
【補正の内容】
【００５１】
これに関して、メタデータエントリーを提供するための方法の１つの実施例は、動作２００において、電子デバイスを介してメディアファイルなどの活動を提示することを有する。動作２１０において、電子デバイスのキーの選択が受信される。キーは、ハードウェア又はソフトウェアキーのどちらか一方とできる。メタデータエントリーは、ユーザーデバイス又はネットワークデバイスのどちらか一方からアクセスでき、手動により、又はユーザーデバイス、サーバー若しくは特定アプリケーション上にあるメタデータから、生成することができる。メディアファイルなど提示された活動のメタデータエントリーは、動作２２０において、キーの選択に応じて変更される。メタデータエントリーを変更することは、提示された活動のメタデータとして、選択されたキーのメタデータエントリーを割り当てることを有する。あるいは、メタデータエントリーを変更することは、選択されたキーに関連する提示された活動のメタデータを提示することを有する。任意には、動作２３０において、更なる関連するデータがメタデータエントリーと関連付けられる。更なる関連するデータは、近隣のデバイス若しくはユーザー、又は存在情報に基づく。あるいは、更なる関連するデータは、背景情報、メディアタイプ情報、及び／又は提示するアプリケーションに関連する情報を有することができる。メタデータエントリーは、コンテンツアイテムが提示されている間に表示される。その他の任意の動作として、動作２４０において、全メタデータエントリー及び対応するコンテンツアイテムを含むリストを表示するために専用キーが選択される。リストは、メタデータタグが関連付けられるアプリケーションに関らず、全メタデータタグを含む汎用リストとできる。
【手続補正９】
【補正対象書類名】明細書
【補正対象項目名】００５３
【補正方法】変更
【補正の内容】
【００５３】
上記した機能は、多くの方法で実行することができる。例えば、上記した機能の各々を実行するための適切な手段が、本発明を実行するために採用される。１つの実施例において、本発明の要素の全て又は部分は、一般的に、コンピュータ読み取り可能記憶媒体の制御下で動作する。本発明の実施例の方法を実行するためのコンピュータ読み取り可能記憶媒体は、不揮発性記憶媒体などのコンピュータ読み取り可能記憶媒体、及びコンピュータ読み取り可能記憶媒体内に搭載される一連のコンピュータ命令などのコンピュータ読み取り可能プログラムコード部分を有する。
【手続補正１０】
【補正対象書類名】特許請求の範囲
【補正対象項目名】全文
【補正方法】変更
【補正の内容】
【特許請求の範囲】
【請求項１】
電子デバイスを介し活動を提示するステップ、
前記電子デバイスのキーの選択を受信するステップであって、該キーは、該キーの選択に応じ、メタデータとしてコンテンツアイテムに割り当て可能な属性との所定の関連を有するステップ、及び
前記キーの選択に応じて前記提示された活動と関連するコンテンツアイテムのメタデータエントリーを変更するステップ、
を有する方法。
【請求項２】
前記メタデータエントリーを変更するステップは、前記選択されたキーの選択に応じ、前記提示された活動と関連する前記コンテンツアイテムの前記メタデータエントリーとして前記選択されたキーとの前記所定の関連を有する前記属性を割り当てることを有する、請求項１に記載の方法。
【請求項３】
前記メタデータエントリーを変更するステップは、前記選択されたキーに関連する前記提示された活動の前記メタデータを提示すること、又はブラウジングを介して得られるタグ情報を使用して前記メタデータエントリーを変更することを有する、請求項１に記載の方法。
【請求項４】
前記メタデータエントリーと更なる関連するデータを関連付けることを更に有する、請求項１に記載の方法。
【請求項５】
前記メタデータエントリーと更なる関連するデータを関連付けるステップは、前記メタデータエントリーと、
存在情報、
近隣情報、
背景情報、
メディアタイプ、又は
提示するアプリケーション
の少なくとも１つを関連付けることを有する、請求項４に記載の方法。
【請求項６】
１より多いメタデータエントリーと関連している前記選択されたキーに応じて、可能性のあるメタデータエントリーを起こりそうな順序で表示することを更に有する、請求項１に記載の方法。
【請求項７】
専用キーの選択に応じて、全メタデータエントリー及び対応するコンテンツアイテムのリストを表示することを更に有する、請求項１に記載の方法。
【請求項８】
前記活動を提示するステップは、データを記録する、又は
画像、
ビデオファイル、
オーディオファイル、
テレビブロードキャスト、
ラジオブロードキャスト、
テキスト、又は
ウェブページ
の１つを提示することを有する、請求項１に記載の方法。
【請求項９】
コンテンツアイテムを提示している間に対応するメタデータエントリーを表示することを更に有する、請求項１に記載の方法。
【請求項１０】
内部に記憶されるコンピュータ読み取り可能プログラムコード部分を有するコンピュータ読み取り可能記憶媒体であって、該コンピュータ読み取り可能プログラムコード部分は、請求項１−９のいずれか１項の方法を実行するための実行可能部分を有する、コンピュータ読み取り可能記憶媒体。
【請求項１１】
電子デバイスを介し活動を提示するよう構成される出力デバイス、
装置のキーの選択のユーザー入力を受け取るよう構成されるインタフェース要素であって、該キーは、該キーの選択に応じ、メタデータとしてコンテンツアイテムに割り当て可能な属性との所定の関連を有するインタフェース要素、及び
前記キーの選択に応じて前記提示された活動と関連するコンテンツアイテムのメタデータエントリーを変更するよう構成されるタグ付け要素、
を有する装置。
【請求項１２】
前記タグ付け要素は、前記選択されたキーの選択に応じ、前記提示された活動と関連する前記コンテンツアイテムの前記メタデータエントリーとして前記選択されたキーとの前記所定の関連を有する前記属性を割り当てる、又は前記選択されたキーに関連する前記提示された活動の前記メタデータを提示するよう構成される、請求項１１に記載の装置。
【請求項１３】
前記タグ付け要素は、前記メタデータエントリーへの更なる関連するデータを関連付けるよう構成される、請求項１１に記載の装置。
【請求項１４】
前記更なる関連するデータは、
存在情報、
近隣情報、
背景情報、
メディアタイプ、又は
提示するアプリケーション
の少なくとも１つ有する、請求項１３に記載の装置。
【請求項１５】
前記活動は、
画像、
ビデオファイル、
オーディオファイル、
テレビブロードキャスト、
ラジオブロードキャスト、
テキスト、又は
ウェブページ
の１つを有する、請求項１１に記載の装置。
【請求項１６】
前記タグ付け要素は、１より多いメタデータエントリーと関連している前記選択されたキーに応じて、可能性のあるメタデータエントリーを起こりそうな順序で表示する、又は上位１０の最もよく用いられるメタデータエントリーとキーパッドナンバー０から９の対応する１つを関連付けるよう構成される、請求項１１に記載の装置。
【請求項１７】
専用キーの選択に応じて、メタデータタグ付けと関連する機能を実行するための該専用キーを更に有する、請求項１１に記載の装置。
【請求項１８】
前記機能は、全メタデータエントリー及び対応するコンテンツアイテムのリストを表示することを有する、請求項１７に記載の装置。
【請求項１９】
コンテンツアイテムを提示している間に対応するメタデータエントリーを表示するよう構成されるプロセッサーを更に有する、請求項１１に記載の装置。
【請求項２０】
前記装置は、モバイル端末として搭載される、請求項１１に記載の装置。
【請求項２１】
電子デバイスを介し活動を提示するための手段、
前記電子デバイスのキーの選択を受信するための手段であって、該キーは、該キーの選択に応じ、メタデータとしてコンテンツアイテムに割り当て可能な属性との所定の関連を有する手段、及び
前記キーの選択に応じて前記提示された活動と関連するコンテンツアイテムのメタデータエントリーを変更するための手段、
を有する装置。
【手続補正１１】
【補正対象書類名】図面
【補正対象項目名】図３
【補正方法】変更
【補正の内容】
【図３】
2009540447.tif 000010
【手続補正１２】
【補正対象書類名】図面
【補正対象項目名】図７
【補正方法】変更
【補正の内容】
【図７】
2009540447.tif 000011
【国際調査報告】
2009540447.tif 000012
2009540447.tif 000013
2009540447.tif 000014